(57)【要約】【課題】下地と防水シートとの間に断熱層を配置する断熱防水構造において、断熱層の熱収縮によって平場部と立ち上り部との境界付近で防水シートに浮きが発生するのを防止することができて、防水シートの剥がれや破断といった問題を防止することができる断熱防水構造を提供する。【解決手段】平場部１ａと立ち上り部１ｂとの境界にある入隅部には断熱層２を敷設した上に、表面がゴムからなっており、略Ｌ字断面を有するコーナ部材３を平場部１ａと立ち上り部１ｂにまたがって配置して断熱層２と共に下地にアンカー固定し、平場部１ａに敷設した防水シート５ａと立ち上り部１ｂに敷設した防水シート５ｂを前記コーナ部材３に接着固定してなる。【選択図】図２
2009007923.tif 000002
【特許請求の範囲】
【請求項１】
平場部と立ち上り部を有する下地に断熱層を介して防水シートを固定する断熱防水構造において、平場部と立ち上り部との境界にある入隅部には断熱層を敷設した上に、表面がゴムからなっており、略Ｌ字断面を有するコーナ部材を平場部と立ち上り部にまたがって配置して断熱層と共に下地にアンカー固定し、平場部に敷設した防水シートと立ち上り部に敷設した防水シートを前記コーナ部材に接着固定してなることを特徴とする断熱防水構造。
【請求項２】
コーナ部材が形状保持層にゴムからなる表面シートを積層した構成からなる請求項１記載の断熱防水構造。
【請求項３】
コーナ部材の形状保持層が鋼板である請求項２記載の断熱防水構造。
【請求項４】
平場部の防水シートをコーナ部材の形状保持層と表面シートとの間に挟持接着してなる請求項２〜３のいずれかに記載の断熱防水構造。
【請求項５】
断熱層を複数枚の断熱材を積層した構成としてなる請求項１〜４のいずれかに記載の断熱防水構造。
【発明の詳細な説明】
【技術分野】
【０００１】
本発明は下地上に断熱層を介在して防水シートを固定する断熱防水構造に関するものであり、詳しくは平場部と立ち上り部との境界において、防水シートがコーナに沿わず浮き上がってしまう問題を解消した断熱防水構造に係る。
【背景技術】
【０００２】
建築物の屋上やベランダなどの下地にゴムや合成樹脂からなるシートを敷設することによって、屋根の防水を施すといった防水構造がある。ゴムや合成樹脂の均一材をもって構成される単層防水シートであるが、温度変化などの環境に影響されやすく、寸法安定性が悪かったり波ジワが発生したりするなどの問題があった。また、下地に生じた亀裂によりゼロスパンテンションが作用した折、防水シートに局部劣化が生じ、その箇所から防水シートの破断にまで発展することもあった。
【０００３】
中でも、コーナ部における浮き上がりが発生するといった問題が発生すると、そこから強風による負圧で防水シートが下地から剥がされてしまったり、破断してしまったりするといった重大な問題につながってしまうことがあった。
【０００４】
また、例えば特許文献１にもあるように、従来から下地と防水シートとの間に発泡体からなる断熱層を介在させる断熱防水構造が行われている。このように発泡層を防水シートの裏面に配置することによって、下地水分の蒸散による膨れの発生、接着性低下の問題の解消、下地面に発生する亀裂への対処などに対して改善することができる。
【０００５】
【特許文献１】特開昭６０−１５２７６３号公報
【発明の開示】
【発明が解決しようとする課題】
【０００６】
しかし、上記樹脂の発泡体などからなる断熱層は、それ自身がやはり温度変化により伸縮する性質を持っており、例えば図６に示すような平場部１１ａと立ち上り部１１ｂからなる下地の平場部１１ａにおいて下地と防水シート１５ａとの間に断熱層１２を介在しており、断熱層１２は立ち上り部１１ｂに突き当たるように配置されている。防水シート１５はその上に平場部１１ａに敷設した防水シート１５ａをわずかに立ち上り部１１ｂにかけて折り曲げて配置し、その上から立ち上り部１１ｂの防水シート１５ｂを重ねて接合されるといった構造が一般的である。
【０００７】
ところが、断熱層の収縮により図７に示すように断熱層１２が立ち上り部１１ｂから後退して、その結果、断熱層１２に接着固定された防水シート１５ａも断熱層１２と共に立ち上り部１１ｂから後退して、平場部１１ａと立ち上り部１１ｂの境界付近において防水シート１５に浮き上がりが生じてしまう。このように浮き上がりを生じた状態で、台風などの強風を受けると負圧により防水シート１５が下地から剥がされてしまったり、更には破断してしまったりすることにもつながる。
【０００８】
このような問題を解消するために、図８に示すように立ち上り部１１ｂに近い位置において断熱層１２に切り込みＫを入れて独立させ、温度変化によって発生する収縮の影響を少なくしようとする試みがなされていた。
【０００９】
しかし、このような構造を採ったとしても収縮によって断熱層が立ち上り部から後退するのをゼロとすることはできず、程度の差はあっても浮きの発生は避けられない。また、断熱層を複数層積層する方法では、敷設に手間がかかり施工時間を長引かせるという問題もあった。
【００１０】
そこで本発明では、下地と防水シートとの間に断熱層を配置する断熱防水構造において、断熱層の熱収縮によって平場部と立ち上り部との境界付近で防水シートに浮きが発生するのを防止することができて、防水シートの剥がれや破断といった問題を防止することができる断熱防水構造の提供を目的とする。
【課題を解決するための手段】
【００１１】
上記のような目的を達成するために本発明の請求項１では、平場部と立ち上り部を有する下地に断熱層を介して防水シートを固定する断熱防水構造において、平場部と立ち上り部との境界にある入隅部には断熱層を敷設した上に、表面がゴムからなっており、略Ｌ字断面を有するコーナ部材を平場部と立ち上り部にまたがって配置して断熱層と共に下地にアンカー固定し、平場部に敷設した防水シートと立ち上り部に敷設した防水シートを前記コーナ部材に接着固定してなることを特徴とする。
【００１２】
また、請求項２では、コーナ部材が形状保持層にゴムからなる表面シートを積層した構成からなる請求項１記載の断熱防水構造としている。
【００１３】
請求項３では、コーナ部材の形状保持層が鋼板である請求項２記載の断熱防水構造としている。
【００１４】
請求項４では、平場部の防水シートをコーナ部材の形状保持層と表面シートとの間に挟持接着してなる請求項２〜３のいずれかに記載の断熱防水構造としている。
【００１５】
請求項５では、断熱層を複数枚の断熱材を積層した構成としてなる請求項１〜４のいずれかに記載の断熱防水構造としている。
【発明の効果】
【００１６】
請求項１によると平場部の下地の上に配置した断熱層はアンカー部材によって強制的に下地及び立ち上り部に固定されていることから、昼夜もしくは季節により温度が変化することによって断熱層に熱収縮が発生したとしても、立ち上り部から後退することがない。また、そのことと相まって、平場部と立ち上り部にまたがってコーナ部材を配置していると共に平場部の防水シート、立ち上り部の防水シートをともに該コーナ部材に固定しており、両者の境界において防水シートが浮きを生じるといったことも防止することができる。
【００１７】
請求項２では、コーナ部材が形状保持層にゴムからなる表面シートを積層した構成からなっているとしており、形状保持層によって平場部から立ち上り部にかけての入隅形状を維持することができるコーナ部材にゴムからなる防水シートを容易に接着固定することができる。
【００１８】
請求項３では、コーナ部材の形状保持層を鋼板としており、コーナ部材の形状を強固に保持し、その表面に積層したゴムからなる表面シートに、やはりゴムからなる防水シートを接着固定することができる。
【００１９】
請求項４によると、コーナ部材に防水シートを接着固定する際に平場部の防水シートは表面シートと形状保持層との間に挟持接着していることから、シート同士の接合が水勾配に沿った方向での接合となるので接合箇所からの水漏れを少なくすることができる。
【００２０】
請求項５によると複数枚の断熱材を積層して断熱層を形成しており、環境温度の変化に伴い熱膨張係数の差により下地と断熱層と防水シートとの間でズレが生じて防水シートの表面にシワが発生するといった問題を解消することができる。
【発明を実施するための最良の形態】
【００２１】
本発明は、例えば図１にその一部を示すように、建築物の屋上の大きな平場部１ａと建物の周縁には取り囲むように立ち上り部１ｂが形成されている箇所へ施工する断熱防水構造である。例えばその四辺には平場部１ａと立ち上り部１ｂが略直角に交わる入隅が形成されており、その入隅における防水シートに浮きを生じやすく、その防水シート及び断熱層を固定する構造に特徴を有するものである。
【００２２】
図２に示すのは本発明の断熱防水構造に係る断面図であり、平場部１ａと立ち上り部１ｂとからなる下地１の平場部１ａには断熱層２を配置してなる。その上に図４に示すような断面略Ｌ字形状のコーナ部材３を平場部１ａと立ち上り部１ｂにまたがるように配置して、それぞれの面にアンカー部材４を使って下地１に打ち込み固定している。平場部１ａにおいてアンカー部材４はコーナ部材３と断熱層２も貫通して下地１ａに打ち込まれている。
【００２３】
その上から防水シート５が敷設配置されるが、平場部１ａに敷設される防水シート５ａと立ち上り部１ｂに敷設される防水シート５ｂに分けられており、平場部１ａに敷設される防水シート５ａは、その端部がコーナ部材３の平場部側に配置された部分に接着固定され、立ち上り部に敷設される防水シート５ｂは、その端部がコーナ部材３の立ち上り部側に配置された部分に接着固定される。
【００２４】
平場部１ａと立ち上り部１ｂとの間に前記のような入隅が形成されている場合、このような入隅において防水シート５を下地１に沿って敷設配置するには、平場部１ａもしくは立ち上り部１ｂの防水シート５のいずれかを折り曲げて沿わせる必要がある。しかし、防水シート５はある程度の厚みを有していることから、平場部１ａと立ち上り部１ｂが形成する直角に曲げてきっちりと沿わせることは困難であり、行ったとしても角の部分で多少の浮きを生じてしまう。
【００２５】
それが本発明のような構造を採ることによって、平場部１ａの防水シート５ａも立ち上り部１ｂの防水シート５ｂも折り曲げる必要がないので防水シート５の浮きが発生するといった問題を解消することができる。
【００２６】
また、建物の断熱のために平場部１ａにおいて下地１と防水シート５との間に断熱層２を介在させるような場合、断熱層２の熱収縮によって防水シート５も引っ張られて、同様に平場部１ａと立ち上り部１ｂの境界である直角部分で防水シート５に浮きを生じるという問題があった。
【００２７】
本発明では略Ｌ字形状の断面を有するコーナ部材３を用いて断熱層２をアンカー部材４で下地１に打ち込み固定しているので、断熱層２が周囲の温度変化によって収縮した場合でも、アンカー部材４で打ち込まれていると共にコーナ部材３で端部まで押えられた状態で、物理的強制的に下地１に固定されており、立ち上り部１ｂから後退することがなく、それが原因による防水シート５の浮きが発生することもない。
【００２８】
本発明で用いられる防水シート１の例としては、エチレン・プロピレン・ジエン・モノマー（ＥＰＤＭ）、ブチルゴム（ＩＩＲ）、変性ブチルゴム（変性ＩＩＲ）、ポリイソブチレン（ＰＩＢ）、変性ポリイソブチレン（変性ＰＩＢ）、オレフィン系熱可塑性エラストマー等のゴム単体もしくはこれらのブレンド物を用いることができる。
【００２９】
断熱層２としては、ポリ塩化ビニル（ＰＶＣ）、ポリエチレン（ＰＥ）、ポリプロピレン（ＰＰ）、ポリウレタン（ＰＵ）、ポリスチレン（ＰＳ）等をもって構成され、その発泡倍率は１０〜４０倍、その厚みは１枚あたり４〜５０ｍｍまたは複数枚の断熱材を重ねることにより５０ｍｍ以上の断熱層を構成され、本シート状発泡材は、下地１の亀裂に対する緩衝効果、断熱効果、歩行時のクッション効果を防水シート５に付与している。本発明のように異なる素材からなる部材を積層したものの場合、夫々の素材の熱膨張係数の差により環境温度の変化に伴って部材間にズレが生じることがある。特に厚みの大きい断熱層２を用いる場合、図３に２枚の断熱材を重ねた例を示すように複数枚の断熱材を重ねた断熱層２とすることで、部材間にズレが生じたとしてもそのズレを吸収することができて歪が解消され、表面の防水シートにシワが発生するのを防止することができる。
【００３０】
コーナ部材３は、ゴムからなる防水シート５を接着することができるように、表面はゴムからなっている。防水シート５と接着可能で且つ形状を保持することができるだけの剛性を有するゴム素材で構成してもよいし、形状保持層３ａの表面にゴムからなる表面シート３ｂを被覆したものでもよい。形状保持層３ａとしては、鋼板、溶融亜鉛メッキ鋼板、溶融アルミニウムメッキ鋼板、冷間圧延ステンレス鋼板、アルミニウム板、アルミニウム合金板などの金属板やポリ塩化ビニル、ポリエチレン、ポリプロピレンといった樹脂からなるものも用いることが可能である。この形状保持層３ａはコーナ部材として使用した場合に十分な剛性を有している必要があり、素材によっても異なるものであるが通常０．３〜２．０ｍｍ程度の厚みを有するものが使用される。０．３ｍｍ未満であると剛性が低く形状を保持することが難しくなり変形が大きくなる。また、２．０ｍｍを超えると厚みが大きく過ぎて防水シート上に大きな段差が発生し外観の面で好ましくない。
【００３１】
表面シート３ｂは防水シート５との接着性を良くするために同素材で構成されていることが好ましく、その素材としてはエチレン・プロピレン・ジエン・モノマー（ＥＰＤＭ）、ブチルゴム（ＩＩＲ）、変性ブチルゴム（変性ＩＩＲ）、ポリイソブチレン（ＰＩＢ）、変性ポリイソブチレン（変性ＰＩＢ）、オレフィン系熱可塑性エラストマー等のゴム単体もしくはこれらのブレンド物を挙げることができる。表面シート３ｂの厚みは０．８〜２．０ｍｍの範囲のものが好ましく０．８ｍｍ未満であると強度的に不足し衝撃などで破損するといった問題があること、また２．０ｍｍを超えるとやはり防水シートの表面に大きな段差となって現れるので好ましくない。
【００３２】
形状保持層３ａが金属板である場合の表面シート３ｂの接着については、金属板をアルカリや溶剤などで脱脂し、次いでブラスト法やウォータージェット法などで粗面化することによって接着剤を用いて強固に接合することができる。
【００３３】
また、必要に応じて防水シート５ｂと表面シート３ｂとの間にはシール材６を施す。そうすることによって、このような入隅における防水性を更に高めることができる。シール材６としては、非加硫あるいは未加硫のゴムを用いることができ、ゴムの種類は耐候性に優れたエチレン・プロピレン・ジエン系ゴム（ＥＰＤＭ）、ブチルゴム（ＩＩＲ）、ＥＰＤＭとＩＩＲのブレンド物からなるものが好適であり、ゴム分に対してステアリン酸、カーボンブラック、無機充填剤、ＺｎＯ等が必要に応じて配合される。またこのゴム系シール材の場合はムーニー粘度（ＭＬ１＋４  １００℃）が３〜２０であることが好ましく、１０（ＭＬ１＋４  １００℃）未満であると熱変形が大きく特に高温時でダレの発生する問題を有しており、４０（ＭＬ１＋４  １００℃）より大きい値であると、シール材として水密性が乏しくなるので好ましくない。シール材として、上記のゴム系のもの以外にも変性シリコン、ポリウレタンなども使用可能であり、水膨張タイプのシール材を使用することも可能である。
【００３４】
図５に示すのは本発明の別の実施例に係る断面図である。下地１に断熱層２を配置してコーナ部材３を設置し立ち上り部１ｂの防水シート５をコーナ部材３の立ち上り部１ｂ側に接着固定しているところは同様であるが、コーナ部材３の平場部１ａ側は形状保持層３ａと表面シート３ｂが固定されていないものを用いており、平場部１ａに敷設する防水シート５の端部を形状保持層３ａと表面シート３ｂとの間にはさみこんで防水シート５と表面シート３ｂとを接着した構造となっている。このような構造とすることによって、表面シート３ｂと防水シート５ｂとを重ね合わせる方向が水勾配と一致した向きとなっており、両者を接着した部分からの漏水の発生が生じにくい形態ということができる。
【産業上の利用可能性】
【００３５】
建築物などの屋上に施工する断熱防水構造として用いることができる。
【図面の簡単な説明】
【００３６】
【図１】本発明の断熱防水構造を施工する屋上の要部斜視図である。
【図２】本発明断熱防水構造の要部断面図である。
【図３】断熱層を２枚重ねにした場合の図２に相当する要部断面図である。
【図４】コーナ部材の斜視図である。
【図５】本発明断熱防水構造の別の例を示す要部断面図である。
【図６】従来の断熱防水構造の要部断面図である。
【図７】従来の断熱防水構造で断熱層が収縮したところの要部断面図である。
【図８】従来の断熱防水構造の別の例を示す要部断面図である。
【符号の説明】
【００３７】
１    下地
１ａ  平場部
１ｂ  立ち上り部
２    断熱層
３    コーナ部材
３ａ  形状保持層
３ｂ  表面シート
４    アンカー部材
５    防水シート
６    シール材
【図１】
2009007923.tif 000003
【図２】
2009007923.tif 000004
【図３】
2009007923.tif 000005
【図４】
2009007923.tif 000006
【図５】
2009007923.tif 000007
【図６】
2009007923.tif 000008
【図７】
2009007923.tif 000009
【図８】
2009007923.tif 000010